(57)【要約】【課題】  釣り竿上で釣り糸を案内するためのセンタリング（糸案内部）を多数個形成する釣り竿のセンタリング構造を提供する。【解決手段】  釣り竿１１０の外周面と一部が接するように、陥没した凹所を下部に設けたフレーム１２０に孔を開けてセンタリング１２５を形成し、フレーム１２０のまわりに案内溝を形成して釣り竿１１０に固定するために巻く糸１１８を案内するようにしてセンタリング１２５自体を釣り竿１１０に固定設置することにより構造を簡単にし、フレーム１２０においてセンタリング１２５の穴の大きさや形状を変化させることにより釣り竿１１０との間隔を調節することができる。【選択図】        図７
0003107564.tif 000002
【実用新案登録請求の範囲】
【請求項１】
釣り竿上で釣り糸を案内するためのセンタリングを多数個形成する釣り竿のセンタリング構造において、前記釣り竿の外周面または前記釣り竿にスライド挿入される設置リングと一部を接するように、陥没した凹所を下部に設けたフレームに孔を開けてセンタリングを形成し、前記フレームのまわりに案内溝を形成して前記フレームと釣り竿に糸を巻いて固定するようにしたことを特徴とする釣り竿のセンタリング構造。
【請求項２】
前記センタリングが、円形または楕円形であることを特徴とする、請求項１に記載の釣り竿のセンタリング構造。
【請求項３】
前記フレームが、セラミックス材質からなることを特徴とする、請求項１に記載の釣り竿のセンタリング構造。
【請求項４】
前記フレームの凹所と釣り竿が、接着剤によって相互接着されることを特徴とする、請求項１に記載の釣り竿のセンタリング構造。
【請求項５】
剛性度増加のために前記フレームと釣り竿を同時に巻いている糸に接着剤を塗布することを特徴とする、請求項１に記載の釣り竿のセンタリング構造。
【考案の詳細な説明】
【技術分野】
【０００１】
本考案は、釣り竿のセンタリング（糸案内部）構造に関するものである。より詳細には、センタリング自体を釣り竿に固定設置することによりガイドの構造を簡単にでき、センタリングを形成しているフレーム（保持部材）においてセンタリング穴の大きさや形状を変化させることにより糸と釣り竿との間隔を調節することができる、釣り竿のセンタリング構造に関するものである。
【背景技術】
【０００２】
一般的に、釣り竿は長さ方向に多数個のガイドを具備し、該ガイドにセンタリングを形成して釣り糸を案内するように形成される。
【０００３】
図１及び図２に示したように、日本国特許第３０７７８３９号は釣り竿１に挿入されるガイドリング（保持部材）２と釣り糸を案内する糸案内部材５とを接するように形成して糸案内部材５の揺動を防止するための構造を提示している。
【０００４】
すなわち、前記釣り竿１はガイドリング２に挿入され、該ガイドリング２は環状の可撓性素材４と外接するように形成される。この時、前記ガイドリング２は可撓性素材４より幅が広く形成される。そして、前記可撓性素材４の内部に釣り糸を案内する糸案内部材５を挿入する。
【０００５】
また、前記ガイドリング２と可撓性素材４は外接して固定されるように固定ガイド３で覆い包まれている。この時、前記ガイドリング２は釣り竿１を包む面積が広いため釣り竿１に安定的に固定される。
【０００６】
ところが、この場合釣り竿１と接するガイドリング２の表面積が広いため、釣り竿１が節を成してしなり、節部分で破損し得る問題があり、また釣り竿１の弾性力が低下するようになる。
【０００７】
そのため、図３及び図４に示したように、米国特許第４、４６７、５４９号では釣り竿１０と接するガイドリング１２の面積を減らして釣り竿１０がよく曲がるようにした構造を提示している。
【０００８】
すなわち、前記釣り竿１０は所定の幅のみを持つガイドリング１２に挿入され、前記ガイドリング１２はセンタリング１５と外接する。この時、前記ガイドリング１２と接するセンタリング１５の外周縁には凹所１６を形成してガイドリング１２の一部を安着してガイドリング１２がセンタリング１５の外周縁に沿って回転しないように形成する。そして、前記センタリング１５のまわりには外周溝１７が形成され、ガイドリング１２と固定するための糸１８を案内するようにする。また、前記糸１８の内部からガイドリング１２とセンタリング１５の外周縁には合成樹脂剤１９を充填して相互に固定する。
【考案の開示】
【考案が解決しようとする課題】
【０００９】
しかし、従来のセンタリングは釣り竿と外接して糸で巻いて固定する構造であり、釣り竿と所定距離を隔て維持する構造を持つことができない問題点があった。
【００１０】
一方、従来のセンタリングを釣り竿と所定距離を隔て維持するようにするためには、釣り竿との間に合成樹脂剤を充填して糸で巻くようにして形成する必要があるが、センタリング内部で張力を受ける釣り糸によってセンタリングが流動して合成樹脂剤が離脱する問題点があった。
【００１１】
本考案は前記のような問題点を解決するために案出され、釣り竿と一部外接するフレームに孔を開けてセンタリングを形成し、糸で釣り竿とフレームを巻いた後、接着剤を塗布して糸の強度を高めてフレームを釣り竿に堅固に付着するようにし、フレーム上で必要によってセンタリングの位置や形状を変更して釣り竿との距離を調節することができる釣り竿のセンタリング構造を提供することにその目的がある。
【課題を解決するための手段】
【００１２】
前記目的を果たすために、本考案は、釣り竿上で釣り糸を案内するためのセンタリングを多数個形成する釣り竿のセンタリング構造において、前記釣り竿の外周面または前記釣り竿にスライド挿入される設置リングと一部が接するように、陥没した凹所を下部に設けたフレームに孔を開けてセンタリングを形成し、前記フレームと釣り竿に糸を巻いて固定するように前記フレームのまわりに案内溝を形成する。
【００１３】
前記センタリングが、円形または楕円形であることを特徴とする。
【００１４】
前記フレームが、セラミックス材質からなることを特徴とする。
【００１５】
前記フレームの凹所と釣り竿が、接着剤によって相互接着されることを特徴とする。
【００１６】
剛性度増加のために前記フレームと釣り竿を同時に巻いている糸に接着剤を塗布することを特徴とする。
【考案の効果】
【００１７】
本考案の釣り竿のセンタリング構造は、釣り糸を案内するためのセンタリングを具備したフレームを所定の厚さの板形状に形成して釣り竿と一体的に形成することによりガイドの構造を簡単にし、釣り竿との接触面積を減らすことにより釣り竿が撓んだ時に一定間隔で折れが発生することを防止することができる効果がある。
【００１８】
そして、前記フレームと釣り竿を一緒に糸で絡めてから接着剤を塗布して堅固に固定することでフレームの揺動を防止し、前記フレームをセラミックス材質で形成することにより釣り糸との摩耗を減らすことができる効果がある。
【００１９】
また、前記フレームに形成するセンタリングの形状を円形または楕円形にしたり孔を形成する位置を調節することにより釣り竿との距離を調節することができる効果がある。
【考案を実施するための最良の形態】
【００２０】
以下、本考案の構成を添付した図面を参照してさらに詳しく説明する。
【００２１】
図５は本考案の実施形態１による釣り竿に固定されたセンタリングを示した斜視図で、図６及び図７は本考案の実施形態１による釣り竿に固定されたセンタリングの構造を示した縦断側面図及び側断面図である。    
【００２２】
また、図８ないし図１０は、本考案の実施形態２ないし実施形態４による釣り竿に固定されたセンタリングの構造を示した側断面図である。
【００２３】
また、図１１及び図１２は、本考案の実施形態５による釣り竿に固定されたセンタリングの構造を示した縦断側面図及び側断面図である。
【００２４】
図５ないし図１２に示したように、本考案による釣り竿のセンタリング構造は、釣り竿１１０、１１１、１１２、１１３、１１４上で釣り糸を案内するためのセンタリング１２５、１２５ａを多数個形成した釣り竿１１０、１１１、１１２、１１３、１１４のセンタリング１２５、１２５ａ構造において、釣り竿１１０、１１１、１１２、１１３、１１４の外周面または前記釣り竿１１０、１１１、１１２、１１３、１１４にスライド挿入される設置リング１３０と一部が接するように、陥没した凹所１２４を下部に設けたフレーム１２０、１２１、１２２、１２３、１２７に孔を開けて前記センタリング１２５、１２５ａを形成し、フレーム１２０、１２１、１２２、１２３、１２７のまわりに案内溝１２６を形成して釣り竿１１０、１１１、１１２、１１３、１１４に固定するために巻く糸１１８を案内することを特徴とする。
【００２５】
図５ないし図７に図示したように、釣り竿１１０は長さ方向に多数個のフレーム１２０を固定付着する。
【００２６】
前記フレーム１２０は、板形状からなり、その一端面が釣り竿１１０と接するようにする。
【００２７】
前記フレーム１２０の下部は、釣り竿１１０の外周縁の一部と密着するように凹所１２４を陥没形成する。
【００２８】
この時、前記釣り竿１１０の外表面形状と凹所１２４の内側形状は等しくして密接するようにする。
【００２９】
前記凹所１２４は、フレーム１２０が釣り竿１１０に安定的に接して支持されるように陥没させたもので、接触面積を可能な限り最小限にして釣り竿１１０の撓む動きに干渉をしないようにする。
【００３０】
そして、前記フレーム１２０には孔を開けてセンタリング１２５を形成する。
【００３１】
この時、前記センタリング１２５は、円形または楕円形からなり、フレーム１２０に形成する位置は釣り竿１１０との距離調節のために異なって形成することが可能である。
【００３２】
また、前記フレーム１２０のまわりには、案内溝１２６を形成する。該案内溝１２６はフレーム１２０の凹所１２４を除いた残りの周囲部分に形成することが好ましい。
【００３３】
前記案内溝１２６は、フレーム１２０を釣り竿１１０と接するようにした後、固定付着するために巻く糸１１８を案内して外部離脱を防止するために形成する。
【００３４】
そして、前記フレーム１２０の凹所１２４と釣り竿１１０とは、互いに接した状態で接着剤１２８を塗布することにより堅固に付着させる。
【００３５】
また、前記糸１１８には、接着剤１２８を塗布して糸１１８の剛性度を増加させ、釣り糸の張力発生時にもフレーム１２０が釣り竿１１０に堅固に付着するようにする。
【００３６】
前記フレーム１２０は、セラミックス材質などの耐久性が優秀な材質で形成して釣り糸との摩擦によって摩耗したり破損しないようにする。
【００３７】
図７に示したように、前記釣り竿１１０の直径がセンタリング１２５の直径より小さい場合、フレーム１２０はセンタリング１２５が位置した上部から凹所１２４が形成された下部に下るほど幅が狭くなるように形成される。
【００３８】
一方、図８に示したように、釣り竿１１１の直径がセンタリング１２５の直径と同じかほぼ等しい場合は、フレーム１２１は上部と下部の幅を同じかほぼ等しく形成することができる。
【００３９】
また、図９に示したように、釣り竿１１２の直径がセンタリング１２５の直径より大きい場合、フレーム１２２は上部から下部に下るほど幅が広くなるようにして釣り竿１１２上にフレーム１２２が安定的に接するようにする。
【００４０】
さらに、図１０に示したように、釣り竿１１３はフレーム１２３の凹所１２４と接して糸１１８で縛って一緒に固定し、前記フレーム１２３には楕円形状のセンタリング１２５ａを形成してセンタリング１２５ａ内部で外部張力の強度による釣り糸の変位量を増加させることができるようにする。
【００４１】
一方、図１１及び図１２に示したように、釣り竿１１４が多段にスライド挿入される場合は一定間隔で設置リング１３０を具備する。
【００４２】
この場合、前記設置リング１３０の外周縁の一部にはフレーム１２７の凹所１２４が接した状態で糸１１８を絡めて相互に固定し、前記フレーム１２７には孔を開けてセンタリング１２５を形成して釣り糸を案内する。
【００４３】
この時、前記フレーム１２７の凹所１２４部位を除いた周囲部分には案内溝１２６を形成して糸１１８の離脱を防止する。
【００４４】
そして、前記糸１１８には接着剤１２８を塗布して剛性を増加させる。
【図面の簡単な説明】
【００４５】
【図１】従来における釣り竿に固定されたセンタリングの構造を示した縦断側面図である。
【図２】従来における釣り竿に固定されたセンタリングの構造を示した側断面図である。
【図３】従来における釣り竿に固定されたセンタリングの構造を示した縦断側面図である。
【図４】従来における釣り竿に固定されたセンタリングの構造を示した側断面図である。
【図５】本考案の実施形態１による釣り竿に固定されたセンタリングの構造を示した斜視図である。
【図６】本考案の実施形態１による釣り竿に固定されたセンタリングの構造を示した縦断側面図である。
【図７】本考案の実施形態１による釣り竿に固定されたセンタリングの構造を示した側断面図である。
【図８】本考案の実施形態２による釣り竿に固定されたセンタリングの構造を示した側断面図である。
【図９】本考案の実施形態３による釣り竿に固定されたセンタリングの構造を示した側断面図である。
【図１０】本考案の実施形態４による釣り竿に固定されたセンタリングの構造を示した側断面図である。
【図１１】本考案の実施形態５による釣り竿に固定されたセンタリングの構造を示した縦断側面図である。
【図１２】本考案の実施形態５による釣り竿に固定されたセンタリングの構造を示した側断面図である。
【符号の説明】
【００４６】
１１０，１１１，１１２，１１３，１１４  釣り竿、１２０，１２１，１２２，１２３，１２７  フレーム、１２４  凹所、１２５，１２５ａ  センタリング、１２６  案内溝、１２８  接着剤。
【図１】
0003107564.tif 000003
【図２】
0003107564.tif 000004
【図３】
0003107564.tif 000005
【図４】
0003107564.tif 000006
【図５】
0003107564.tif 000007
【図６】
0003107564.tif 000008
【図７】
0003107564.tif 000009
【図８】
0003107564.tif 000010
【図９】
0003107564.tif 000011
【図１０】
0003107564.tif 000012
【図１１】
0003107564.tif 000013
【図１２】
0003107564.tif 000014